(57)【要約】【課題】緊急搬送車両・航空機等の冷暖房設備を利用し、緊急搬送のときに用いる。【解決手段】患者を搬送する移動体に搭載された空調機器の送気による熱を受け取る熱受容部２０と、患者の生体部位に装着され、前記生体部位に熱を付与する熱付与部３０と、前記熱受容部２０と前記熱付与部３０との間を結合し、前記熱受容部２０から前記熱付与部３０へ熱媒体を送る管体４０と、前記熱受容部２０、前記熱付与部３０及び前記管体４０の少なくとも一つに設けられ、前記熱媒体を前記熱受容部２０から前記熱付与部３０へ強制移動させる強制移動手段５０とを具備する。【選択図】図１
2013141480.tif 000002
【特許請求の範囲】
【請求項１】
患者を搬送する移動体に搭載された空調機器の送気による熱を受け取る熱受容部と、
患者の生体部位に装着され、前記生体部位に熱を付与する熱付与部と、
前記熱受容部と前記熱付与部との間を結合し、前記熱受容部から前記熱付与部へ熱媒体を送る管体と、  前記熱受容部、前記熱付与部及び前記管体の少なくとも一つに設けられ、前記熱媒体を前記熱受容部から前記熱付与部へ強制移動させる強制移動手段とを具備することを特徴とする体温維持装置。
【請求項２】
前記熱付与部及び／又は前記患者の温度を検出する温度センサと、
前記温度を設定するための温度設定手段と、
前記温度センサにより検出された温度と前記温度設定手段により設定された温度基づき、前記強制移動手段を制御する温度制御部と
を具備することを特徴とする請求項１に記載の体温維持装置。
【請求項３】
熱受容部が、移動体に搭載された空調機器に着脱する着脱手段を備えていることを特徴とする請求項１または２に記載の体温維持装置。
【請求項４】
熱付与部が、
管体をジグザグに折り返した熱源部と、
前記熱源部より生体部位側に設けられ、表面に生体への粘着する粘着剤を有する表面部と、
前記熱源部から生体部位とは逆側に設けられ、前記熱源部の熱が外部へ放熱されないように保護する断熱材と、
前記表面部に結合する裏面部であって、前記表面部との間に前記熱源部及び断熱材を挟み込む裏面部と
を具備することを特徴とする請求項１乃至３のいずれか１項に記載の体温維持装置。
【請求項５】
前記温度制御部は、前記温度が略一定となるように前記強制移動手段を制御することを特徴とする請求項２乃至４のいずれか１項に記載の体温維持装置。
【請求項６】
前記熱媒体は、前記熱受容部と前記管体と前記熱付与部とを循環することを特徴とする請求項１乃至５のいずれか１項に記載の体温維持装置。
【請求項７】
前記熱付与部は、前記患者の少なくとも首、胸部または大腿部に直接装着されることを特徴とする請求項１乃至６のいずれか１項に記載の体温維持装置。
【請求項８】
前記熱付与部は、ブランケット形状であることを特徴とする請求項１乃至６のいずれか１項に記載の体温維持装置。
【請求項９】
前記熱媒体は、気体ないしは液体であることを特徴とする請求項１乃至８のいずれか１項に記載の体温維持装置。
【発明の詳細な説明】
【技術分野】
【０００１】
この発明は、緊急搬送のときに用いることができる体温維持装置に関するものである。
【背景技術】
【０００２】
従来、低体温治療器や体温維持装置が臨床において用いられるようになっており、かなりの大型の装置やシステムが提供されている。これに対し、脳卒中や心肺蘇生時においてはできる限り早く低温治療を開始することが肝要とされており、学会でも注目されてきている。
【０００３】
しかしながら、現在提供されている体温維持装置は、病院などの施設において用いられるものである。従って、緊急搬送時の救急車やヘリコプターなどの限られたスペースしかない場合に搭載することは不可能であり、早期の低温治療を行うことの妨げとなっている。
【０００４】
そこで、緊急搬送車両等の冷暖房設備を利用することが考えられるが、特許文献１に示されるようにエアコンなどから吹き出した風を熱交換器に当てて熱交換を行い、ホースにより所望の位置へ媒体を運んで冷暖房を行うシステムが考えられている程度であり、迅速かつ効率的に患者の体温を冷やしたり暖めたりすることが要求される緊急搬送車両等に搭載して患者の所要部位に対する冷暖房を行うものとはなっていない。特に、患者の体温管理は細心の注意を必要としつつも、患者の意識がない場合もあるため、患者を冷やしすぎたり暖めすぎたりする可能性も残る。
【先行技術文献】
【特許文献】
【０００５】
【特許文献１】特開平１１−１９７１７３号公報
【発明の概要】
【発明が解決しようとする課題】
【０００６】
本発明は、緊急搬送のときに用いることができる体温維持装置における上記のごとき現状に鑑みてなされたもので、その目的は、緊急搬送車両・航空機等の冷暖房設備を利用し、緊急搬送のときに用いることができる体温維持装置を提供することである。
【課題を解決するための手段】
【０００７】
本発明に係る体温維持装置は、患者を搬送する移動体に搭載された空調機器の送気による熱を受け取る熱受容部と、患者の生体部位に装着され、前記生体部位に熱を付与する熱付与部と、前記熱受容部と前記熱付与部との間を結合し、前記熱受容部から前記熱付与部へ熱媒体を送る管体と、前記熱受容部、前記熱付与部及び前記管体の少なくとも一つに設けられ、前記熱媒体を前記熱受容部から前記熱付与部へ強制移動させる強制移動手段とを具備することを特徴とする。
【０００８】
本発明に係る体温維持装置は、前記熱付与部及び／又は前記患者の温度を検出する温度センサと、前記温度を設定するための温度設定手段と、前記温度センサにより検出された温度と前記温度設定手段により設定された温度基づき、前記強制移動手段を制御する温度制御部とを具備することを特徴とする。
【０００９】
本発明に係る体温維持装置は、熱受容部が、移動体に搭載された空調機器に着脱する着脱手段を備えていることを特徴とする。
【００１０】
本発明に係る体温維持装置は、熱付与部が、管体をジグザグに折り返した熱源部と、前記熱源部より生体部位側に設けられ、表面に生体への粘着する粘着剤を有する表面部と、前記熱源部から生体部位とは逆側に設けられ、前記熱源部の熱が外部へ放熱されないように保護する断熱材と、前記表面部に結合する裏面部であって、前記表面部との間に前記熱源部及び断熱材を挟み込む裏面部とを具備することを特徴とする。
【００１１】
前記温度制御部は、前記温度が略一定となるように前記強制移動手段を制御することを特徴とする。
【００１２】
前記熱媒体は、前記熱受容部と前記管体と前記熱付与部とを循環することを特徴とする。
【００１３】
前記熱付与部は、前記患者の少なくとも首、胸部または大腿部に直接装着されることを特徴とする。
【００１４】
前記熱付与部は、ブランケット形状であることを特徴とする。
【００１５】
前記熱媒体は、気体ないしは液体であることを特徴とする。
【発明の効果】
【００１６】
本発明に係る体温維持装置によれば、患者を搬送する移動体に搭載された空調機器の送気による熱を受け取る熱受容部を備えているので、特段のスペースを要することなく、緊急搬送中に患者の体温を迅速かつ効率的にコントロールすることができる。また、生体部位に熱を付与する熱付与部が患者の生体部位に装着されるように構成されているので、緊急搬送しなければならない患者に容易に熱付与部を装着することができる。
【００１７】
本発明に係る体温維持装置によれば、温度センサにより検出された温度と温度設定手段により設定された温度基づき、空調機器による送気温度を制御するので、必要な温度にコントロールを行って患者の体温を維持することができる。特に、患者は意識がない場合であっても、患者を冷やしすぎたり暖めすぎたりすることがない。熱受容部が、移動体に搭載された空調機器に着脱する着脱手段を備えているので、必要な場合に着脱することが可能である。
【００１８】
本発明に係る体温維持装置によれば、熱付与部の表面に生体への粘着する粘着剤が設けられているので、生体の所要部位に適切に貼着して体温コントロールを行うことが可能である。また、熱源部の熱が外部へ放熱されないように保護する断熱材が、生体部位とは逆側に設けられているので熱源部において不要な熱拡散を防止し、効率良く体温コントロールを行うことが可能である。
【図面の簡単な説明】
【００１９】
【図１】本発明に係る体温維持装置の実施形態のブロック図。
【図２】本発明に係る体温維持装置の実施形態における要部の内部構成を示す透視図。
【図３】本発明に係る体温維持装置の実施形態の使用状態を示す図。
【図４】図２のＡ−Ａ断面図。
【発明を実施するための形態】
【００２０】
以下添付図面を参照して、本発明に係る体温維持装置の実施形態を説明する。各図において、同一の構成要素には、同一の符号を付して重複する説明を省略する。本発明に係る体温維持装置の実施形態は、図１に示されるように、患者を搬送する移動体に搭載された空調機器１０に取り付けられる。ここに、移動体とは救急車などの自動車の他、ヘリコプターや小型の飛行機及び船舶を指す。
【００２１】
体温維持装置の実施形態は、空調機器１０の送気による熱を受け取る熱受容部２０、熱付与部３０、管体４０、強制移動手段５０を備える。熱付与部３０は、患者の生体部位に装着され、生体部位に熱を付与するものである。管体４０は、熱受容部２０と前記熱付与部３０との間を結合し、熱受容部２０から上記熱付与部３０へ熱媒体を送るものである。熱受容部２０は、移動体に搭載された空調機器１０に着脱する例えば嵌合爪等の着脱手段を備えていても良い。
【００２２】
熱受容部２０は、熱媒体が空気である場合には、空調機器１０の送気による空気をそのまま取り込む開口を有しても良い。また、熱受容部２０は、熱媒体が水などの液体である場合には、空調機器１０の送気口に嵌合する筐体であれば良く、筐体にフィンなどを設けて、熱媒体との接触面積を広く確保することにより熱伝達を良好にしても良い。熱媒体が水などの液体である場合には、熱媒体を熱受容部２０と熱付与部３０の間で管体４０を介して循環させる構成とする。強制移動手段５０は、熱媒体を熱受容部２０から熱付与部３０へ強制移動させるものであり、例えばファンやポンプやバルブにより構成することができる。強制移動手段５０は、熱受容部２０、熱付与部３０及び管体４０の少なくとも一つに設けることができる。
【００２３】
熱付与部３０は、患者の生体部位に装着されるものであり、生体部位に制限はないが、例えば、太い血管が比較的体表近くに存在する首の部分や胸部や大腿部に装着して体温を低下させることが望ましい。図３には、首の部分に装着する実施形態の斜視図を示している。図に明らかな通り、一枚の板状の部材を丸めて首の部分を概ね一周するような円筒形に構成したものであり、全体として弾性により丸まって首の部分にフィットする形状とされている。従って、装着の際には、図３において例えば喉の部分にスリットを形成する端部３０ｅ、３０ｅを持って、円筒形を押し広げて平板状とし、患者の後頭部側から首を包み込むようにして装着を行うことが可能である。勿論、使用する生体部位によって熱付与部３０の形状は適宜変更される。なお、熱付与部３０は上記に限られず、患者の体を覆うような例えばブランケット状の態様であってももちろん良い。
【００２４】
熱付与部３０を平板状に広げた状態を示す図２に明らかなように、管体４０が熱付与部３０の角部３０ｃから内部へ延びている。図２の例は、熱媒体が液体であるものを示しており管体４０は、熱受容部２０から熱付与部３０へ向かう下り側の管体４０Ｄと、熱付与部３０の角部３０ｃが設けられていない端部側において折り返されて角部３０ｃへ到来し、この熱付与部３０から熱受容部２０へ向かう上り側の管体４０Ｕとにより構成されている。
【００２５】
熱付与部３０は、全体が例えば厚手の布により構成される外装体３１が全体を覆うように構成されている。外装体３１の内部には、熱源部としての管体４０（４０Ｄ、４０Ｕ）がジグザグに折り返されて並べられて設けられており、熱源部である管体４０から生体部位とは逆側には、管体４０の熱が外部へ放熱されないように保護する断熱材３２が設けられている。
【００２６】
図４に示すように、管体４０より生体部位側の外装体３１は、表面に生体への粘着する粘着剤３３の層を有する表面部３４となっている。粘着剤３３の層は、未使用の状態で紙などの保護シールが貼着されている。管体４０より生体部位とは反対側の外装体３１は、表面部３４に結合する裏面部３５であって、表面部３４と裏面部３５の間には管体４０及び断熱材３２を挟み込む構成となっている。また、表面部３４と管体４０との間には、シート状のアルミ泊などの熱良導体３６が介装されている。
【００２７】
更に、本実施形態においては、熱付与部３０に温度センサ６０が設けられ、適宜な位置にコントローラ７０が備えられている。コントローラ７０は、幾つかのスイッチなどにより構成され、温度を設定するための温度設定手段である操作部７１と、設定温度や現在温度などを表示するための表示部７２とを備え、ＣＰＵにより処理を行う。なお図示しないが、温度センサ６０は患者の体温を測定するため、患者に装着される態様であってももちろん良い。この場合、患者の体温を直接測定するため、冷やしすぎや暖めすぎることなく、効率的に患者の体温を管理できる。また、温度センサ６０は熱付与部３０及び患者の温度検出を行うように配置しても良い。
【００２８】
温度センサ６０の検出信号はコントローラ７０へ与えられている。また、コントローラ７０は、空調機器１０の制御盤１１に接続されており、電源のオンオフ、冷却と加温の切り換え、温度などの制御信号を与えて送気温度を調整するように強制制御手段５０を制御する温度制御部として機能する。更に、コントローラ７０は、強制移動手段５０へ熱媒体の移動速度を変更するための制御信号を与えるように構成としても良い。コントローラ７０の電源は、空調機器１０から得ても良いし、図示しないが別の電源としても良い。
【００２９】
以上のように構成された体温維持装置は、次のようにして使用することができる。まず、熱受容部２０が着脱可能であり、取り外された状態であるときには、熱受容部２０を空調機器１０の所要位置に位置付けて取り付けを行う。次に、コントローラ７０の操作部７１の所要のスイッチを操作して電源を投入し、所要の温度設定や熱媒体の移動速度等の設定を行う。これに続いて（勿論、先にでも良い）、熱付与部３０を患者の所要位置に装着させる。この場合に、紙などの保護シールを剥がし、表面部３４の粘着剤３３の層が所要の生体位置（首の場合には、頸動脈の部分）にしっかりと張り付くようにして、適切に熱伝達が行われるようにする。
【００３０】
コントローラ７０は、設定された温度や熱媒体の移動速度に応じて、制御盤１１、強制移動手段５０を制御する。また、コントローラ７０は、温度センサ６０から検出信号を受け取り、設定温度との差に応じて制御盤１１を制御して熱付与部３０が設定された温度となるように制御を続ける。
【符号の説明】
【００３１】
１０  空調機器
１１  制御盤
２０  熱受容部
３０  熱付与部
３１  外装体
３２  断熱材
３３  粘着剤
３４  表面部
３５  裏面部
３６  熱良導体
４０  管体
５０  強制移動手段
６０  温度センサ
７０  コントローラ
７１  操作部
７２  表示部
【図１】
2013141480.tif 000003
【図２】
2013141480.tif 000004
【図３】
2013141480.tif 000005
【図４】
2013141480.tif 000006